(57)【要約】【課題】軸筒４内に収容した複数の筆記体の筆記先端部を軸筒４の先端口３ａより出没させる繰出式多芯筆記具１において、各筆記体の筆記先端部を軸筒４の軸心に沿って先端口３ａから突出させることができる繰出式多芯筆記具１を得る。【解決手段】軸筒４を横向きにすることで、複数の筆記ユニット１０Ａ〜１０Ｄの上部に位置したものが自重で下方へ移動して当該筆記ユニットの筆記体１６Ａ〜１６Ｄを軸筒４の軸心に一致させ、ノック体５をノック操作することにより、上部に位置した筆記ユニットのピン体１４を押棒９で押動して、筆記体の筆記先端部を軸筒４の軸心に沿って先端口３ａから突出させる。【選択図】図７
2013091239.tif 000002
【特許請求の範囲】
【請求項１】
軸筒内に収容した複数の筆記体の筆記先端部を軸筒の先端口より出没させる繰出式多芯筆記具において、軸筒内にカム溝を設け、該カム溝に沿って前後動する摺動突起を有したノック体と、前記カム溝を摺動して当該カム溝の前端部に設けた係止部へ係止する係止突起を有した回転カムとを、前記ノック体に形成した傾斜面で構成する凹凸状の噛合部に、前記回転カムに形成した噛合部に噛合う被噛合部を噛合わせて配設し、前記回転カムと前記軸筒に設けた保持部との間にバネ体を配設して当該回転カムを後方へ弾発し、前記ノック体を押圧することにより前記回転カムおよび当該回転カムに連接した押棒を前後動可能とし、複数の筆記体と、ホルダー本体に設けた貫通孔へバネ体および当該バネ体により後方へ付勢されるピン体を配設して形成した筆記体ホルダーとを、前記筆記体の後端部と前記ピン体の前端部とを連接して一体と成した複数の筆記ユニットを、前記軸筒の内部を横断し中央に掛止窓を有した前方壁と後方壁との間に前記ホルダー本体が位置するように配し、且つ前記ホルダー本体の前後端面から突設した掛止突起が前記前方壁および後方壁の掛止窓に掛止されて前記筆記体および前記ピン体が前記前方壁および後方壁の掛止窓より突出し、前記軸筒を横向きにすることで、前記複数の筆記ユニットの上部に位置したものが自重で下方へ移動して当該筆記ユニットの筆記体を前記軸筒の軸心に一致させ、前記ノック体をノック操作することにより、前記上部に位置した筆記ユニットのピン体を前記押棒で押動して、前記筆記体の筆記先端部を前記軸筒の軸心に沿って先端口から突出させることができる構造の繰出式多芯筆記具。
【発明の詳細な説明】
【技術分野】
【０００１】
本発明は、軸筒内に収容した複数の筆記体の筆記先端部を軸筒の先端口より出没させる繰出式多芯筆記具に関する。
【背景技術】
【０００２】
従来より繰出式多芯筆記具は、その出没操作において、軸筒の側面から露出させた押子をスライド操作して当該押子に連設された筆記体を前進させたり、前軸に対して後軸を回転操作して後軸内に設けたカム山を回転させ当該カム山に当接する押子に連接された筆記体を前進させることにより、前進した筆記体の筆記先端部を軸筒の先端口から突出させる構造が採用されている。また一般的に繰出式多芯筆記具では、軸筒の軸心から径方向に離れた位置に複数の筆記体が配置されていることから、先端口から筆記先端部を突出させた際には、特開２００１−１２１８８２号公報に記載されているように、リフィール（筆記体）が後方から前方に向かって軸筒の中心方向へ曲がり、筆記先端部が先端口から傾斜した状態で突出し、結果、各筆記体の筆記先端部がそれぞれ異なる方向に傾斜して先端口から突出することから、筆記時に使用者が違和感を感じる場合があった。
【先行技術文献】
【特許文献】
【０００３】
【特許文献１】特開２００１−１２１８８２号公報
【発明の概要】
【発明が解決しようとする課題】
【０００４】
軸筒内に収容した複数の筆記体の筆記先端部を軸筒の先端口より出没させる繰出式多芯筆記具において、各筆記体の筆記先端部を軸筒の軸心に沿って先端口から突出させることができる繰出式多芯筆記具を得る。
【課題を解決するための手段】
【０００５】
本発明は、
「軸筒内に収容した複数の筆記体の筆記先端部を軸筒の先端口より出没させる繰出式多芯筆記具において、軸筒内にカム溝を設け、該カム溝に沿って前後動する摺動突起を有したノック体と、前記カム溝を摺動して当該カム溝の前端部に設けた係止部へ係止する係止突起を有した回転カムとを、前記ノック体に形成した傾斜面で構成する凹凸状の噛合部に、前記回転カムに形成した噛合部に噛合う被噛合部を噛合わせて配設し、前記回転カムと前記軸筒に設けた保持部との間にバネ体を配設して当該回転カムを後方へ弾発し、前記ノック体を押圧することにより前記回転カムおよび当該回転カムに連接した押棒を前後動可能とし、複数の筆記体と、ホルダー本体に設けた貫通孔へバネ体および当該バネ体により後方へ付勢されるピン体を配設して形成した筆記体ホルダーとを、前記筆記体の後端部と前記ピン体の前端部とを連接して一体と成した複数の筆記ユニットを、前記軸筒の内部を横断し中央に掛止窓を有した前方壁と後方壁との間に前記ホルダー本体が位置するように配し、且つ前記ホルダー本体の前後端面から突設した掛止突起が前記前方壁および後方壁の掛止窓に掛止されて前記筆記体および前記ピン体が前記前方壁および後方壁の掛止窓より突出し、前記軸筒を横向きにすることで、前記複数の筆記ユニットの上部に位置したものが自重で下方へ移動して当該筆記ユニットの筆記体を前記軸筒の軸心に一致させ、前記ノック体をノック操作することにより、前記上部に位置した筆記ユニットのピン体を前記押棒で押動して、前記筆記体の筆記先端部を前記軸筒の軸心に沿って先端口から突出させることができる構造の繰出式多芯筆記具。」である。
【０００６】
本発明では、軸筒内で筆記ユニットが自重で下方へ移動しやすいように、ホルダー本体を、真鍮のように重い金属で成形することが好ましい。軸筒を横向きにした状態で筆記ユニットが自重で下方へ移動した場合には、下方へ移動した筆記ユニットの筆記体が軸筒の先端口に真っ直ぐな状態で突出できるようにすることが肝要であり、このとき軸筒の軸心か
ら筆記体の中心が若干ずれていても構わない。押棒の先端は、軸筒の先端口に対して軸心において一致するようにし、軸筒の軸心と一致している筆記体に連接されたピン体のみを押動できるようにする。
【発明の効果】
【０００７】
本発明の繰出式多芯筆記具は前述したような構造なので、各筆記体の筆記先端部を軸筒の軸心に沿って先端口から突出させることができるものとなり、各筆記体の筆記先端部が先端口から真っ直ぐな状態で突出することから、筆記時に使用者が違和感を感じることがないものとなった。
【図面の簡単な説明】
【０００８】
【図１】図１は、本実施例の繰出式多芯筆記具における縦断面図である。
【図２】図２は、筆記ユニットの斜視図である。
【図３】図３は、筆記ユニットの分解図である。
【図４】図４は、繰出式多芯筆記具の構成の一部を示す斜視図である。
【図５】図５は、図１の状態の軸筒内における筆記ユニットと掛止窓の位置関係を示す図である。
【図６】図６は、クリップを上方にして軸筒を横向きにした状態を示す縦断面図である。
【図７】図７は、軸筒の先端口から筆記体の筆記先端部を突出させた状態を示す縦断面図である。
【図８】図８は、軸筒の先端口から筆記体の筆記先端部を突出させた時の筆記ユニットを示す図である。
【図９】図９は、図７の状態の軸筒内における筆記ユニットと掛止窓の位置関係を示す図である。
【発明を実施するための形態】
【０００９】
以下、図面を参照して本発明における繰出式多芯筆記具の実施例について説明を行う。尚、説明を分かりやすくするために、図面中の同様の部材、同様の部分については同じ番号を付してある。本実施例の説明においては軸筒の先端口側を前方と表現し、反対側を後方と表現する。
【００１０】
図１は、本実施例の繰出式多芯筆記具における縦断面図で、軸筒の先端口側を下に向けて立てた状態の図である。繰出式多芯筆記具１は、クリップ２ａを側面に形成した軸筒本体２の前方に口金３を装着して軸筒４を構成している。軸筒本体２の内面にはカム溝２ｂを形成してあり、カム溝２ｂに沿って前後動する摺動突起５ａを有したノック体５と、カム溝２ｂを摺動して当該カム溝２ｂの前端部に設けた係止部２ｃへ係止する係止突起６ａを有した回転カム６とを、ノック体５に形成した傾斜面で構成する凹凸状の噛合部５ｂに、回転カム６に形成した噛合部に噛合う被噛合部６ｂを噛合わせて配設し、回転カム６と軸筒４の内部に嵌着させた保持筒７の保持部７ａとの間にコイルバネ８を配設して回転カム６を後方へ弾発してある。また、本実施例では、回転カム６には前方が開口する凹部６ｃを形成してあり、凹部６ｃに形成した小径部６ｄに押棒９の後端部９ａを挿嵌し、凹部６ｃに形成した段部６ｅに押棒９の鍔部９ｂを当接させ、鍔部９ｂが前記コイルバネ８の後端で弾発されることにより回転カム６を後方へ弾発するようにしてあり、ノック体５をノック操作することにより回転カム６および回転カム６に連接した押棒９が、保持筒７の窓孔７ｂに挿通された状態で前後動するようにしてある。
【００１１】
次に、図１〜図４を用いて筆記ユニットの説明を行う。図４に示すように筆記ユニット１０Ａ，１０Ｂ，１０Ｃ，１０Ｄは軸筒内で軸心に対して放射状に配列してあり、図１では筆記ユニット１０Ａと筆記ユニット１０Ｃとが対向した状態を示してある。図２および図３にて筆記ユニットの詳細を説明すると、筆記ユニット１０Ａは、ホルダー前方部材１１１とホルダー後方部材１１２とを嵌着させて成るホルダー本体１１に前後を貫通する貫通孔１２を設け、貫通孔１２内に、コイルバネ１３およびピン体１４を配して筆記体ホルダー１５を形成し、貫通孔１２の前方から黒色インキを収容したボールペンレフィル１６Ａを挿通すると共に、ボールペンレフィル１６Ａの後端部にピン体１４の前端小径部１４ａを挿嵌して筆記ユニットを形成してある。また、貫通孔１２の後方からはピン体１４の後端部１４ｂを突出させており、ピン体１４に形成した鍔部１４ｃにコイルバネ１３を当接させてピン体１４およびピン体１４に連接したボールペンレフィル１６Ａを後方へ付勢し、ピン体１４の後端部１４ｂを前方へ押圧することで、コイルバネ１３の弾発力に抗してボールペンレフィル１６Ａが前進し（図８参照）、ピン体１４の後端部１４ｂの押圧力を解除することで、コイルバネ１３の弾発力によりピン体１４の鍔部１４ｃがホルダー本体１１の貫通孔１２に形成した段部１２ａに当接する位置（図２参照）までボールペンレフィル１６Ａが後退する構造である。筆記ユニット１０Ｂは赤色インキのボールペンレフィル１６Ｂを備え、筆記ユニット１０Ｃは青色インキのボールペンレフィル１６Ｃを備え、筆記ユニット１０Ｄは緑色インキのボールペンレフィル１６Ｄを備えているが、他の点は前述の筆記ユニットＡと同様であるため説明を省略する。
【００１２】
次に、図１および図４，図５を用いて、各筆記ユニットと軸筒との関係について説明を行う。軸筒４の前方内部には、十字状の掛止窓１７ａを穿孔した前方壁１７ｂを有する円環部材１７を装着し、軸筒４の中央内部には、前記掛止窓１７ａと同形状の掛止窓１８ａを穿孔した前方壁１８ｂを有する円環部材１８を装着してある。前方壁１７ｂの掛止窓１７ａには、各筆記ユニットのホルダー本体１１の前端に突設した掛止突起１１ａを掛止させて掛止窓１７ａよりボールペンレフィル１６Ａを突出させ、後方壁１８ｂの掛止窓１８ａには、各筆記ユニットのホルダー本体１１の後端に突設した掛止突起１１ｂを掛止させて掛止窓１８ａよりピン体１４の後端部１４ｂを突出させてある。尚、円環部材１７と円環部材１８とは、十字状の掛止窓１７ａと掛止窓１８ａの位置関係が互いに合致するよう軸筒４に装着してあり、掛止突起１１ａ，１１ｂが掛止窓１７ａ，１８ａ内を移動することで、各筆記ユニットが径方向に移動できるようにしてあり、各ホルダー本体の前後端部が前方壁１７ｂおよび後方壁１８ｂに当接することでホルダー本体の前後動を規制してある。
【００１３】
次に、図６〜図９を用いて本実施例の繰出式多芯筆記具を使用する状態について説明を行う。繰出式多芯筆記具１は、クリップ２ａを上方に向け軸筒４を横向きにすることで、図６に示すように、筆記ユニット１０Ａおよび筆記ユニット１０Ｃが自重で下方へ移動し、筆記ユニット１０Ｃのボールペンレフィル１６Ｃが軸筒４の軸心と一致し、図７に示すようにノック体５をノック操作することにで、コイルバネ８を圧縮しながら回転カム６を前進させ、回転カム６と共に前進した押棒９が筆記ユニット１０Ｃのピン体１４を前進させ、ピン体１４に連接したボールペンレフィル１６Ｃの筆記先端部１６１Ｃを軸筒４の軸心に沿って真っ直ぐな状態で口金３の先端口３ａから突出させることができた。ノック体５と回転カム６およびカム溝２ｂとの関係は、一般的な回転カムを利用したノック式ボールペンの構造と同様であり、図７の状態では、カム溝２ｂの前端部の係止部２ｃに回転カム６の係止突起６ａが係止しており、ボールペンレフィル１６Ｃの筆記先端部１６１Ｃが先端口３ａから突出した状態で維持でき、ボールペンレフィル１６Ｃ内に収容した青色インキで筆記を行うことが可能となる。また図示はしないが、軸筒４を横向きにした状態で、クリップ２ａを下方へ向けてノック体５をノック操作すれば、ボールペンレフィル１６Ａにより黒色インキで筆記を行うことができ、クリップ２ａを左または右に向けてノック体５をノック操作すればボールペンレフィル１６Ｂまたはボールペンレフィル１６Ｄにより赤色インキまたは緑色インキで筆記を行うことができる。
【００１４】
尚、図７に示した状態のノック体５を再度ノック操作すると、カム溝２ｂの前端部の係止部２ｃと回転カム６の係止突起６ａとの係止が解除され、コイルバネ８の弾発力により回転カム６および押棒９が後退し、押棒９に押圧されていた筆記ユニット１０Ｃのピン体１４が鍔部１４ｃを後方に付勢しているコイルバネ１３によって後退し、ピン体１４に連接されたボールペンレフィル１６Ｃの筆記先端部１６１Ｃを軸筒４内に没入させることができる。
【産業上の利用可能性】
【００１５】
本発明の繰出式多芯筆記具は、筆記体としてボールペン以外にもシャープペンシルやマーカーあるいは固形芯繰出体などを採用することが可能であり、筆記体を曲げることなく筆記先端部を先端口から突出させることができることから、例えばシャープペンシルの鉛芯や固形芯繰出体のクレヨンなど、筆記体が曲がることで当該筆記体内の収容物に悪影響が生ずる虞のある筆記体に適したものである。
【符号の説明】
【００１６】
１…繰出式多芯筆記具、
２…軸筒本体、２ａ…クリップ、２ｂ…カム溝、２ｃ…係止部、
３…口金、３ａ…先端口、
４…軸筒、
５…ノック体、５ａ…摺動突起、５ｂ…噛合部、
６…回転カム、６ａ…係止突起、６ｂ…被噛合部、
６ｃ…凹部、６ｄ…小径部、６ｅ…段部、
７…保持筒、７ａ…保持部、７ｂ…窓孔、
８…コイルバネ、
９…押棒、９ａ…後端部、９ｂ…鍔部、
１０Ａ，１０Ｂ，１０Ｃ，１０Ｄ…筆記ユニット、
１１…ホルダー本体、１１ａ…掛止突起、１１ｂ…掛止突起、
１１１…ホルダー前方部材、１１２…ホルダー後方部材、
１２…貫通孔、１２ａ…段部、
１３…コイルバネ、
１４…ピン体、１４ａ…前端小径部、１４ｂ…後端部、
１４ｃ…鍔部、
１５…筆記体ホルダー、
１６Ａ，１６Ｂ，１６Ｃ，１６Ｄ…ボールペンレフィル、
１６１Ａ，１６１Ｂ，１６１Ｃ，１６１Ｄ…筆記先端部
１７…円環部材、１７ａ…十字状の掛止窓、１７ｂ…前方壁、
１８…円環部材、１８ａ…十字状の掛止窓、１８ｂ…後方壁。
【図１】
2013091239.tif 000003
【図２】
2013091239.tif 000004
【図３】
2013091239.tif 000005
【図４】
2013091239.tif 000006
【図５】
2013091239.tif 000007
【図６】
2013091239.tif 000008
【図７】
2013091239.tif 000009
【図８】
2013091239.tif 000010
【図９】
2013091239.tif 000011